(57)【要約】【課題】いずれの環境でも使用可能であり小さくかつ実用的な内部保安用マイクロ波感知器を提供する。【解決手段】マイクロ波センサモジュール部１０は保安区域内の放射マイクロ波の周波数及び中間周波数により動物体を感知し、信号増幅及び利得調整部２０は素子１０からの微弱信号を増幅し、増幅信号の利得調整を行い、信号レベル調整部３０は素子２０からの利得調整信号レベルを再調整し、感度レベル調整部４０は動物体の大きさ及び距離に応じて感度信号レベルを調整して細分化し、制御部５０は素子３０，４０からの利得調整信号レベルと感度信号レベルを基準として素子１０の感知信号と比較測定し、アラーム出力と警報器作動と感度信号表示を制御し、アラーム出力部６０と警報器７０と信号表示器８０とは素子５０の制御信号に基づき、物体の動き信号レベルが所定感度レベル以上ならば作動する。【選択図】  図２
2004157102.tif 000002
【特許請求の範囲】
【請求項１】
保安を要する地域に設置され、物体の体積を認識、感知するマイクロ波感知器において、
保安区域における放射されたマイクロ波の周波数及び中間周波数によって、動く物体を感知するマイクロ波センサモジュール部と、
前記マイクロ波センサモジュール部から伝送された微弱な信号を増幅し、増幅された信号の利得調整を行う信号増幅及び利得調整部と、
前記信号増幅及び利得調整部から出力された利得調整信号レベルを再調整する信号レベル調整部と、
動く物体の大きさ及び距離に応じて感度信号レベルを調整して細分化する感度レベル調整部と、
前記信号レベル調整部及び感度レベル調整部からそれぞれ細分化されて出力された利得調整信号レベルと感度信号レベルを基準としてマイクロ波センサモジュール部の感知信号と比較測定し、アラーム出力、警報器作動及び感度信号表示を制御する制御部と、
前記制御部の制御信号に基づいて、物体の動き信号レベルが予め設定された感度レベル以上であれば作動するアラーム出力部と警報器と信号表示器と
を含むことを特徴とするマイクロ波感知器。
【請求項２】
前記マイクロ波センサモジュール部のマイクロ波の周波数及び中間周波数は１０．５２５ＧＨｚであることを特徴とする請求項１記載のマイクロ波感知器。
【請求項３】
前記感度レベル調整部の感度レベルは、１〜３段階に細分化され、動く物体の大きさ及び距離に応じて感度レベルの細分化を再調整することが可能であることを特徴とする請求項１記載のマイクロ波感知器。
【発明の詳細な説明】
【０００１】
【発明の属する技術分野】
本発明は、マイクロ波感知器に関し、より詳しくは、ドップラー原理（Ｄｏｐｐｌｅｒｐｒｉｎｃｉｐｌｅ）を用いたマイクロ波センサであって、いずれの環境でも使用可能であり小さくかつ実用的な内部保安用マイクロ波感知器に関する。
【０００２】
【従来の技術】
最近、各家庭や会社は、自分及び家族の生命と財産を守るために、保安会社が提供する様々な保安システムを利用している。これは犯罪を予防するための対策の一環である。近頃は、個人住宅やアパート、商店、ビルなど広範囲にわたって個別世代防犯システム、防災システム、共同玄関出入統制システム、駐車管理システム、家庭自動化システム、ＣＣＴＶ監視装置などの保安システムを用いて自分の生命と財産の安全を確保しようとしている。
【０００３】
このような保安システムは、顧客に外部侵入などの異常が発生すると、これを確認して警察及び自身の出動車両を出動させて緊急状況に対する措置を取り、出入を統制し、勤怠及び駐車を管理し、警備区域内に設置されたＣＣＴＶの映像を提供する。その他にも、様々な種類と方法で各顧客に必要な安全事項をモニタリングするシステムである。
【０００４】
このような保安システムには赤外線方式が広く用いられている。
【０００５】
赤外線方式は、赤外線ビームの遮断時に感知する方法であって、感知領域が１０〜１５ｍ以内であり、自動警報機能が可能であり、全天候下での作動が可能であるという利点を有する。
【０００６】
ところが、上記の赤外線方式は次のような問題点を抱えている。
【０００７】
第一に、障害発生地域を把握することが難しく、維持保守のために赤外線センサをよく交替しなければならないという不便さがある。
【０００８】
第二に、侵入者（人など）以外の小さな動物、又は赤外線の遮断が可能な落ち葉、紙などによる頻繁な警報発生によって労力及び時間が浪費されるという問題点がある。
【０００９】
第三に、感知距離内の侵入有無状態を感知するだけであり、物体の大きさ及び移動速度を確認することができず、侵入意図のある物体と侵入意図のない物体との区分が難しいという欠点がある。
【００１０】
【発明が解決しようとする課題】
従って、本発明は、このような問題点を解決するためのものであって、その目的は、感知距離内侵入物体の体積を認識して侵入物体の大きさ及び移動速度を確認することができ、侵入意図のある物体と侵入意図のない物体との区分を可能にすることにより、いずれの環境でも使用可能であり小さくかつ実用的な内部保安用マイクロ波感知器を提供することにある。
【００１１】
【課題を解決するための手段】
上記目的を達成するために、本発明は、保安を要する地域に設置され、物体の体積を認識、感知するマイクロ波感知器において、保安区域における放射されたマイクロ波の周波数及び中間周波数によって、動く物体を感知するマイクロ波センサモジュール部と、前記マイクロ波センサモジュールから伝送された微弱な信号を増幅し、増幅された信号の利得調整を行う信号増幅及び利得調整部と、前記信号増幅及び利得調整部から出力された利得調整信号レベルを再調整する信号レベル調整部と、動く物体の大きさ及び距離に応じて感度信号レベルを調整して細分化する感度レベル調整部と、前記信号レベル調整部及び感度レベル調整部からそれぞれ細分化されて出力された利得調整信号レベルと感度信号レベルを基準としてマイクロ波センサモジュール部の感知信号と比較測定し、アラーム出力、警報器作動及び感度信号表示を制御する制御部と、前記制御部の制御信号に基づいて、物体の動き信号レベルが予め設定された感度レベル以上であれば作動するアラーム出力部と警報器と信号表示器とを含むことを特徴とするマイクロ波感知器を提供する。
【００１２】
【発明の実施の形態】
以下、本発明の実施形態に係る構成及びその作用を添付図に基づいて詳細に説明する。
【００１３】
図１は本発明に係るマイクロ波感知器の感知距離及び保安区域範囲を示す概念図である。
【００１４】
本発明によるマイクロ波感知器は、ドップラー原理を用いたマイクロ波センサであって、内容保安を要する地域に設置されて物体の体積を認識感知する、いずれの環境でも使用可能であり小さくかつ実用的な体積監視システムである。
【００１５】
このようなマイクロ波感知器は、感知距離内の侵入物体の体積を認識して侵入物体の大きさ及び移動速度を確認することができ、侵入意図のある物体と侵入意図のない物体との区分を可能にする。
【００１６】
また、図１の（ａ）及び（ｂ）に示すように、１ｍ〜１５ｍの感知距離調整が可能であり、垂直上４０°角度、水平上８０°角度の完璧な保安区域の形成により内部空間を侵入者から安全に保護することができる。
【００１７】
このようなマイクロ波感知器は、センサと共に取り付けられたブラケット（Ｂｒａｃｋｅｔ）を用いて、所望の壁または天井に簡便に設置することができ、センサとブラケットを連結するジョイント（ｊｏｉｎｔ）部分を用いて設置方向を測定し、固定させる。
【００１８】
図２は本発明に係るマイクロ波感知器を説明するためのブロック構成図である。
【００１９】
図２を参照すると、本発明に係るマイクロ波感知器は、マイクロ波センサモジュール部１０、信号増幅及び利得調整部２０、信号レベル調整部３０、感度レベル調整部４０、制御部５０、アラーム出力部６０、警報器７０及び信号表示器８０を含んでなる。
【００２０】
前記マイクロ波センサモジュール部１０は、ドップラー原理を用いて保安区域における放射されたマイクロ波の周波数及び中間周波数によって、動く物体を感知する。
【００２１】
この際、マイクロ波の周波数及び中間周波数は、１０．５２５ＧＨｚ範囲を使用し、動く感知対象物体の大きさ及び条件に応じて、対象物体の感知距離は１〜１５Ｍである。
【００２２】
前記信号増幅及び利得調整部２０は、マイクロ波センサモジュール部１０から伝送された微弱な信号を増幅し、増幅された信号の利得を調整する機能を行うが、制御部５０の制御信号に基づいて信号増幅及び利得調整が統制される。
【００２３】
前記信号レベル調整部３０は、信号増幅及び利得調整部２０から出力された利得調整信号レベルを再調整する機能を行う。
【００２４】
前記感度レベル調整部４０は、動く物体の大きさ及び距離に応じて感度信号レベルを調整して細分化する機能を行う。
【００２５】
この際、前記感度レベルの調整は１〜３段階に細分化され、動く物体の大きさ及び距離に応じて感度レベルの細分化を再調整することができる。
【００２６】
前記制御部５０は、信号レベル調整部３０及び感度レベル調整部４０からそれぞれ細分化されて出力された利得調整信号レベルと感度信号レベルを基準としてマイクロ波センサモジュール部１０の感知信号と比較測定し、アラーム出力、警報器作動及び感度信号表示を制御する機能を行う。
【００２７】
前記アラーム出力部６０、警報器７０及び信号表示器８０は、制御部５０の制御信号に基づいて、物体の動き信号レベルが予め設定された感度レベル以上であれば、アラームを出力し、警報音を発生し、信号レベルを表示する。
【００２８】
このように構成された本発明に係るマイクロ波感知器は、物体の動きによるマイクロ波センサモジュール部１０の中間周波数の信号を受け、信号増幅及び利得調整部２０と信号レベル調整部３０により調整された信号に対し、感度レベル調整部４０によりレベルを調整し制御部５０で増幅利得を調整した後、センサの信号を分析して、センサ信号が設定された感度レベルであれば、一定の時間アラーム出力、警報器作動、感度信号表示を行わせる。
【００２９】
【発明の効果】
以上述べたように、本発明によるマイクロ波感知器は、感知距離内侵入物体の体積を認識し、侵入物体の大きさ及び移動速度を確認することができ、侵入意図のある物体と侵入意図のない物体との区分を可能にする。
【００３０】
また、侵入が発生すると、感知器は警報を鳴らすが、警報を鳴らすレベル値を運営者が設定することができる。情報レベル値の設定時に侵入意図のない小さな物体、例えば落ち葉のような植物や、猫、犬のような動物などに対しては警報から除外し、侵入可能な人間などの大きな物体に限って警報を鳴らすようなレベルを設定することができる。
【００３１】
また、マイクロ波感知器は、警報レベル値の設定が可能なので、既存の無人感知器の最も大きな欠点の誤警報を防止することができ、完璧な保安区域を要する場所に設置することにより、侵入者から安全に内部空間の財産上の保護を行うことができる。
【図面の簡単な説明】
【図１】本発明に係るマイクロ波感知器の感知距離及び保安距離範囲を示す概念図である。
【図２】本発明に係るマイクロ波感知器を説明するためのブロック構成図である。
【符号の説明】
１０  マイクロ波センサモジュール部
２０  信号増幅及び利得調整部
３０  信号レベル調整部
４０  感度レベル調整部
５０  制御部
６０  アラーム出力部
７０  警報器
８０  信号表示器
【図１】
2004157102.tif 000003
【図２】
2004157102.tif 000004